(57)【特許請求の範囲】
【請求項１】
コンピュータに接続されるファクシミリ装置であって、
ファクシミリ側でオンデマンドデータをメモリに格納できないときに、そのオンデマンドデータを前記コンピュータに出力してコンピュータの記憶手段に格納させ、ファクシミリ側のメモリの空き容量に余裕ができたときに、前記コンピュータから前記オンデマンドデータを受け取ってファクシミリ側のメモリに格納し、それまでに他のファクシミリ装置などから前記オンデマンドデータに対してアクセスされれば、前記コンピュータから前記オンデマンドデータを受け取って前記他のファクシミリ装置などに送信することを特徴とするファクシミリ装置。
【発明の詳細な説明】
【０００１】
【発明の属する技術分野】
本発明は、たとえばパーソナルコンピュータなどのコンピュータに接続されるファクシミリ装置に関するものである。
【０００２】
【従来の技術】
従来のファクシミリ装置では、用紙切れ、用紙詰まり、プリンタカバー開、ヒータ温度低など、各種の要因で印刷できない場合、受信を拒否していた。
【０００３】
また、上記のような要因で印刷できない場合には、ＲＡＭなどのメモリに受信データを格納する、いわゆるメモリ代行受信機能を有するファクシミリ装置も存在していたが、この場合でも、メモリの空き容量が十分でなくなると、受信を拒否していた。
【０００４】
更に、いわゆるオンデマンドデータをＲＡＭなどのメモリに記憶させておく機能を有するファクシミリ装置も存在していたが、この場合でも、メモリの空き容量が十分でなくなると、オンデマンドデータを入力できなかった。
【０００５】
【発明が解決しようとする課題】
このように従来のファクシミリ装置では、印刷できず、しかもメモリの空き容量が十分でない場合には、受信することができず、たいへん不便であった。
【０００６】
また、オンデマンド機能を有する従来のファクシミリ装置では、メモリの空き容量が十分でない場合には、オンデマンドデータを入力できず、たいへん不便であった。
【０００７】
本発明は、上記の点に鑑みて提案されたものであって、印刷できず、しかもメモリの空き容量が十分でない場合にも受信できるファクシミリ装置を提供することを目的としている。
【０００８】
さらに本発明は、メモリの空き容量が十分でない場合でも、オンデマンドデータを入力できるファクシミリ装置を提供することを目的としている。
【０００９】
【課題を解決するための手段】
上記目的を達成するため、請求項１に記載した発明のファクシミリ装置は、コンピュータに接続されるファクシミリ装置であって、ファクシミリ側でオンデマンドデータをメモリに格納できないときに、そのオンデマンドデータをコンピュータに出力してコンピュータの記憶手段に格納させ、ファクシミリ側のメモリの空き容量に余裕ができたときに、コンピュータからオンデマンドデータを受け取ってファクシミリ側のメモリに格納し、それまでに他のファクシミリ装置などからオンデマンドデータに対してアクセスされれば、コンピュータからオンデマンドデータを受け取って他のファクシミリ装置などに送信するものである。
【００１０】
ここで、メモリに格納できないときとは、メモリ代行受信を行うためのメモリ残量が受信当初からない場合や、メモリ代行受信中にメモリ残量が不足してしまったような場合などをいうが、メモリ代行受信を行うためのメモリを備えていない場合も含む。
【００１１】
【００１２】
【００１３】
【００１４】
【００１５】
【００１６】
【００１７】
【発明の実施の形態】
以下、本発明の好ましい実施の形態を、図面を参照しつつ具体的に説明する。
【００１８】
図１は、本発明に係るファクシミリ装置の回路ブロック図であって、このファクシミリ装置は、ＣＰＵ１、ＮＣＵ２、ＲＡＭ３、モデム４、ＲＯＭ５、パソコン用ＩＦ６、ゲートアレイ７、ＣＣＤ８、原稿送りモータ９、スキャナモータ１０、レーザスキャナ１１、メインモータ１２、ヒータ１３、およびファン１４などを備えている。ＣＰＵ１、ＮＣＵ２、ＲＡＭ３、モデム４、ＲＯＭ５、パソコン用ＩＦ６、およびゲートアレイ７は、バス線により相互に接続されており、ゲートアレイ７には、ＣＣＤ８、原稿送りモータ９、スキャナモータ１０、レーザスキャナ１１、メインモータ１２、ヒータ１３、およびファン１４が接続されている。パソコン用ＩＦ６には、パーソナルコンピュータ１５が接続されており、パーソナルコンピュータ１５には、ＣＰＵ１６、ＲＡＭ１７、およびハードディスク１８などが設けられている。
【００１９】
ＣＰＵ１は、ファクシミリ装置全体を制御する。ＮＣＵ２は、電話回線２１に接続されて網制御を行う。ＲＡＭ３は、各種のデータなどを記憶する。モデム４は、送信データの変調や受信データの復調などを行う。ＲＯＭ５は、各種のプログラムなどを記憶している。ＣＣＤ８は、原稿を読み取る。原稿送りモータ９は、原稿を所定ピッチで送る。スキャナモータ１０は、レーザスキャナ１１を駆動する。レーザスキャナ１１は、スキャナモータ１０により駆動されて、記録用のレーザビームをスキャンさせる。メインモータ１２は、紙送りやトナーの攪拌などを行うためのものである。ヒータ１３は、熱定着を行うためのものである。ファン１４は、ヒータ１３の熱による悪影響を抑えるためのものである。ＣＰＵ１６は、パーソナルコンピュータ１５全体を制御する。ＲＡＭ１７およびハードディスク１８は、各種のデータなどを記憶する。
【００２０】
スキャナモータ１０、レーザスキャナ１１、メインモータ１２、ヒータ１３、およびファン１４はレーザ記録方式のプリンタ部を構成しており、ＮＣＵ２、モデム４、ＣＣＤ８、および原稿送りモータ９はファクシミリ部を構成している。なお、ＣＰＵ１やＲＡＭ３やＲＯＭ５などはプリンタ部とファクシミリ部との共通部分である。
【００２１】
次に、このように構成されたファクシミリ装置における受信処理の手順について、図２に示すフローチャートを参照しながら説明する。
【００２２】
受信処理においては、先ず、ＣＰＵ１がＮＣＵ２を監視して、他のファクシミリ装置などからの呼び出しがあったか否かを判断し（Ｓ１）、呼び出しがあれば（Ｓ１：ＹＥＳ）、ＣＰＵ１が、プリンタ部に記録用紙があるか否かを判断する（Ｓ２）。この判断は、記録用紙の有無を検出する図外のセンサからの検出信号に基づいて行う。記録用紙がなければ（Ｓ２：ＮＯ）、印刷できないので、ＣＰＵ１が、ＲＡＭ３の空き容量が十分にあるか否かを判断し（Ｓ３）、空き容量が十分になければ（Ｓ３：ＮＯ）、メモリ代行受信できないので、ＣＰＵ１が、パソコン用ＩＦ６にパーソナルコンピュータ１５が接続されているか否かを判断する（Ｓ４）。ＲＡＭ３の空き容量については、たとえば通常の文書密度の原稿が最低１枚は受信できる容量を越えているか否かで十分か否かを判断するようにする。パーソナルコンピュータ１５が接続されていれば（Ｓ４：ＹＥＳ）、ＣＰＵ１が、パーソナルコンピュータ１５のハードディスク１８の空き容量が十分にあるか否かを判断し（Ｓ５）、空き容量が十分にあれば（Ｓ５：ＹＥＳ）、ＮＣＵ２を制御して着信させる（Ｓ６）。ハードディスク１８の空き容量は、パーソナルコンピュータ１５のＣＰＵ１６にその旨の問い合わせコマンドを出力し、ＣＰＵ１６からの返信コマンドを受け取って、その返信コマンドに基づいて判断する。次にＣＰＵ１が、パーソナルコンピュータ１５のＣＰＵ１６にＰＣ代行受信を依頼する旨のコマンドを出力し、モデム４により復調された受信データをパーソナルコンピュータ１５に出力する。
【００２３】
これによりパーソナルコンピュータ１５のＣＰＵ１６が、ファクシミリ装置からの受信データをハードディスク１８に格納する（Ｓ７）。かくして、ＰＣ代行受信、すなわちパーソナルコンピュータ１５による代行受信が行われたことになる。
【００２４】
受信データを全て受信すれば、ＣＰＵ１が、ＮＣＵ２を制御して回線を遮断させ（Ｓ８）、Ｓ１に戻る。
【００２５】
なお、Ｓ５において、パーソナルコンピュータ１５のハードディスク１８の空き容量が十分になければ（Ｓ５：ＮＯ）、ＰＣ代行受信できないので、Ｓ１に戻る。
【００２６】
また、Ｓ４において、パソコン用ＩＦ６にパーソナルコンピュータ１５が接続されていなければ（Ｓ４：ＮＯ）、ＰＣ代行受信できないので、Ｓ１に戻る。
【００２７】
すなわち、印刷、メモリ代行受信、およびＰＣ代行受信のいずれも行えない場合、Ｓ１〜Ｓ５のステップを循環して、いつまでも着信できないことになるが、着信しない状態が一定時間以上継続すると、発呼側からの呼び出しが終了するので、自動的にＳ１〜Ｓ５のステップの循環が停止する。
【００２８】
また、Ｓ３において、ＲＡＭ３の空き容量が十分にあれば（Ｓ３：ＹＥＳ）、メモリ代行受信できるので、ＣＰＵ１が、ＮＣＵ２を制御して着信させ（Ｓ９）、モデム４により復調された受信データをＲＡＭ３に格納する（Ｓ１０）。そして、ＣＰＵ１が、ＲＡＭ３の空き容量があるか否かを判断し（Ｓ１１）、空き容量があれば（Ｓ１１：ＹＥＳ）、メモリ代行受信が全ページ終了したか否かを判断する（Ｓ１２）。全ページ終了していれば（Ｓ１２：ＹＥＳ）、Ｓ８に進んで回線を遮断する。かくして、メモリ代行受信が完了したことになる。
【００２９】
Ｓ１２において、メモリ代行受信が全ページ終了していなければ（Ｓ１２：ＮＯ）、Ｓ１０に戻ってメモリ代行受信を継続する。
【００３０】
Ｓ１１において、ＲＡＭ３の空き容量がなければ（Ｓ１１：ＮＯ）、ＣＰＵ１が、パソコン用ＩＦ６にパーソナルコンピュータ１５が接続されているか否かを判断し（Ｓ１３）、接続されていれば（Ｓ１３：ＹＥＳ）、パーソナルコンピュータ１５のハードディスク１８の空き容量が十分にあるか否かを判断し（Ｓ１４）、空き容量が十分にあれば（Ｓ１４：ＹＥＳ）、受信データをパーソナルコンピュータ１５のハードディスク１８に格納させ（Ｓ１５）、Ｓ８に進んで回線を遮断する。かくして、メモリ代行受信中にＲＡＭ３の空き容量が不足したときに、ＰＣ代行受信が行われたことになる。
【００３１】
Ｓ１４において、ハードディスク１８の空き容量が十分になければ（Ｓ１４：ＮＯ）、ＰＣ代行受信できないので、Ｓ８に進んで回線を遮断する。
【００３２】
Ｓ１３において、パソコン用ＩＦ６にパーソナルコンピュータ１５が接続されてなければ（Ｓ１３：ＮＯ）、ＰＣ代行受信できないので、Ｓ８に進んで回線を遮断する。
【００３３】
また、Ｓ２において、プリンタ部に記録用紙があれば（Ｓ２：ＹＥＳ）、印刷できる可能性があるので、ＣＰＵ１が、ヒータ１３の温度を調べて、印字可能な温度であるか否かを判断する（Ｓ１６）。この判断は、ヒータ１３の近傍に配置された図外の温度センサからの検出信号に基づいて行う。印字可能温度であれば（Ｓ１６：ＹＥＳ）、印字できるので、ＣＰＵ１が、ＮＣＵ２を制御して着信させ（Ｓ１７）、データを受信し（Ｓ１８）、ＲＡＭ３の空き容量があるか否かを判断する（Ｓ１９）。空き容量があれば（Ｓ１９：ＹＥＳ）、ＣＰＵ１が、受信データを復号化して、スキャナモータ１０、レーザスキャナ１１、およびメインモータ１２などを制御することにより印刷し（Ｓ２０）、印刷が全頁終了したか否かを判断する（Ｓ２１）。全頁終了すれば（Ｓ２１：ＹＥＳ）、ＣＰＵ１が、図外のカウンタにより構成される、スリープモードに入るか否かを判断するためのタイマーをクリアし（Ｓ２２）、Ｓ８に進んで回線を遮断させる。
【００３４】
Ｓ２１において、印刷が全頁終了していなければ（Ｓ２１：ＮＯ）、Ｓ１８に戻ってデータの受信を継続する。
【００３５】
Ｓ１９において、ＲＡＭ３の空き容量がなければ（Ｓ１９：ＮＯ）、Ｓ１３に進んでＰＣ代行受信の可否を問う。すなわち、印刷中にＲＡＭ３の空き容量が不足した場合も、可能であればＰＣ代行受信が行われる。
【００３６】
そして、Ｓ１６において、ヒータ１３が印字可能な温度でなければ（Ｓ１６：ＮＯ）、ヒータ１３およびファン１４をオフして消費電力を低減させるいわゆるスリープ機能が働いているということなので、ＣＰＵ１が、ヒータ１３およびファン１４をオンさせてスリープモードを解除し（Ｓ２３）、Ｓ３に進んでＲＡＭ３の空き容量が十分にあるか否かを判断する。すなわち、ヒータ１３の温度が上昇して印刷可能になるまでに、メモリ代行受信あるいはＰＣ代行受信が可能であれば、それを行うのである。
【００３７】
また、Ｓ１において、他のファクシミリ装置などからの呼び出しがなければ（Ｓ１：ＮＯ）、既にメモリ代行受信あるいはＰＣ代行受信を行っている場合、その受信データを印刷する必要があるので、ＣＰＵ１が、ＲＡＭ３に受信データが格納されているか否かを判断する（Ｓ２４）。ＲＡＭ３に受信データが格納されていれば（Ｓ２４：ＹＥＳ）、既にメモリ代行受信が行われたということなので、印刷のために、ＣＰＵ１が、プリンタ部に記録用紙があるか否かを判断し（Ｓ２５）、記録用紙があれば（Ｓ２５：ＹＥＳ）、ヒータ１３の温度を調べて、印字可能な温度であるか否かを判断し（Ｓ２６）、印字可能温度であれば（Ｓ２６：ＹＥＳ）、スキャナモータ１０、レーザスキャナ１１、およびメインモータ１２などを制御してＲＡＭ３によりメモリ代行受信されたデータを印刷し（Ｓ２７）、前述のタイマーをクリアする（Ｓ２８）。
【００３８】
次に、ＣＰＵ１が、パーソナルコンピュータ１５のハードディスク１８に受信データが格納されているか否かを判断する（Ｓ２９）。この判断は、ＣＰＵ１が、パーソナルコンピュータ１５にその旨の問い合わせコマンドを出力し、パーソナルコンピュータ１５のＣＰＵ１６からの返信コマンドを受け取って、そのコマンドに基づいて行う。ハードディスク１８に受信データが格納されていれば（Ｓ２９：ＹＥＳ）、既にＰＣ代行受信が行われたということなので、印刷のために、ＣＰＵ１が、ＲＡＭ３の空き容量が十分であるか否かを判断し（Ｓ３０）、空き容量が十分であれば（Ｓ３０：ＹＥＳ）、パーソナルコンピュータ１５のハードディスク１８からＲＡＭ３に受信データを転送させて（Ｓ３１）、Ｓ１に戻る。この転送は、ＣＰＵ１がパーソナルコンピュータ１５に転送要求コマンドを出力し、これによりパーソナルコンピュータ１５のＣＰＵ１６がハードディスク１８から受信データを読み出してファクシミリ装置に出力し、これをＣＰＵ１がＲＡＭ３に格納することにより行われる。すなわち、ハードディスク１８の受信データをＲＡＭ３に転送してＳ１に戻ることにより、再度Ｓ２４以降のステップが実行され、ＲＡＭ３に転送された受信データが印刷されるのである。
【００３９】
Ｓ３０において、ＲＡＭ３の空き容量が十分でなければ（Ｓ３０：ＮＯ）、ＰＣ代行受信した受信データをＲＡＭ３に転送できないので、Ｓ１に戻る。
【００４０】
Ｓ２９において、パーソナルコンピュータ１５のハードディスク１８に受信データが格納されていなければ（Ｓ２９：ＮＯ）、ＰＣ代行受信されておらず、印刷すべき受信データが存在しないので、Ｓ１に戻る。
【００４１】
Ｓ１２６おいて、ヒータ１３が印字可能な温度でなければ（Ｓ２６：ＮＯ）、ヒータ１３およびファン１４をオフして消費電力を低減させるいわゆるスリープ機能が働いているということなので、ＣＰＵ１が、ヒータ１３およびファン１４をオンさせてスリープモードを解除し（Ｓ３２）、Ｓ１に戻る。すなわち、ヒータ１３が印字可能な温度になるまでに時間がかかるので、一旦Ｓ１に戻って他のファクシミリ装置などからの呼び出しの有無を確認するのである。
【００４２】
Ｓ２５において、プリンタ部に記録用紙がなければ（Ｓ２５：ＮＯ）、印刷できないのでＳ１に戻る。
【００４３】
Ｓ２４において、ＲＡＭ３に受信データが格納されていなければ（Ｓ２４：ＮＯ）、メモリ代行受信が行われていない、あるいはＲＡＭ３内のデータの印刷が終了したということなので、ＣＰＵ１が、パーソナルコンピュータ１５のハードディスク１８に受信データが格納されているか否かを判断し（Ｓ３３）、受信データが格納されていれば（Ｓ３３：ＹＥＳ）、Ｓ３０に進んで受信データの転送のための処理を行う。ハードディスク１８に受信データが格納されていなければ（Ｓ３３：ＮＯ）、印刷すべき受信データが存在しないということなので、ＣＰＵ１が、タイマーを１だけカウントアップさせ（Ｓ３４）、タイマーのカウント値が所定値Ａ以上であるか否かを判断し（Ｓ３５）、所定値Ａ以上であれば（Ｓ３５：ＹＥＳ）、ヒータ１３およびファン１４をオフさせてスリープモードに入り（Ｓ３６）、Ｓ１に戻る。タイマーのカウント値が所定値Ａ以上でなければ（Ｓ３５：ＮＯ）、そのままＳ１に戻る。すなわち、タイマーは、印刷の度にクリアされ（Ｓ２２，Ｓ２８）、印刷すべき受信データが存在しないときに通るＳ３４のステップに至る度に１だけカウントアップされるので、結局、そのカウント数が前回の印刷終了時点からの時間を表すことになる。したがって、この時間が所定値に達したときに、Ｓ３６でスリープモードに入って、消費電力の低減を図るのである。
【００４４】
このように、ファクシミリ側で受信データを印刷できず（Ｓ２：ＮＯ，Ｓ１６：ＮＯ）、かつＲＡＭ３に格納できないときに（Ｓ３：ＮＯ）、その受信データをパーソナルコンピュータ１５に出力し、パーソナルコンピュータ１５のハードディスク１８に格納させるので（Ｓ７）、印刷できず、しかもメモリの空き容量が十分でない場合にも必ず受信できる。すなわち、ハードディスク１８の容量は極めて大きいので、ハードディスク１８に受信データを格納するだけの空き容量がないことは通常ほとんど考えられず、実質的に必ずＰＣ代行受信が可能である。しかも、ハードディスク１８はパーソナルコンピュータ１５の電源がオフしても記憶内容が消失しないので、確実に受信データを保存できる。もちろん、印刷中あるいはメモリ代行受信中にＲＡＭ３の残量が不足したときにもＰＣ代行受信できる（Ｓ１５）。
【００４５】
また、パーソナルコンピュータ１５のハードディスク１８に格納させた受信データを、ファクシミリ側で印刷可能またはＲＡＭ３に格納可能になったときに（Ｓ２６：ＹＥＳ，Ｓ３０：ＹＥＳ）、パーソナルコンピュータ１５から受け取って印刷またはＲＡＭ３に格納するので（Ｓ２７，Ｓ３１）、ハードディスク１８にいつまでも受信データが残ることがなく、ハードディスク１８の負担を最小限に抑えることができる。しかも、ＲＡＭ３に格納された受信データは、印刷可能になればすぐに印刷されることから、ＰＣ代行受信あるいはメモリ代行受信された受信データを極力迅速に印刷できる。
【００４６】
また、ファクシミリ側で受信データを印刷できない原因が、ファクシミリ側のプリンタのヒータ１３およびファン１４をオフにするいわゆるスリープモードに入っていることである場合、他のファクシミリ装置などからの呼び出しによりヒータ１３およびファン１４をオンにし（Ｓ２３）、ヒータ１３が所定温度に達した後に（Ｓ２６：ＹＥＳ）、パーソナルコンピュータ１５から受信データを受け取って印刷する（Ｓ２７）ので、スリープモードに入っている場合でも受信でき、しかも受信データを極力迅速に印刷できる。
【００４７】
なお上記実施形態では、ＰＣ代行受信の場合にハードディスク１８に受信データを格納したが、ＲＡＭ１７に受信データを格納してもよい。
【００４８】
また上記実施形態では、ＰＣ代行受信した受信データをファクシミリ側のプリンタで印刷したが、パーソナルコンピュータ１５のハードディスク１８に格納させた受信データを、パーソナルコンピュータ１５のＣＰＵ１６によりＲＡＭ１７を用いて復号化させ、パーソナルコンピュータ１５のプリンタにより印刷させるようにしてもよい。このようにすれば、ファクシミリ側のプリンタが印刷可能になるまでに、パーソナルコンピュータ１５のプリンタにより受信データを印刷できる。
【００４９】
また、受信データを他のファクシミリ装置などに転送するいわゆるファックスフォワード機能を有するファクシミリ装置の場合、受信データが他のファクシミリ装置などに転送すべきデータであれば、受信時にＲＡＭ３に十分な空き容量がないとき、その受信データをパーソナルコンピュータ１５に転送してハードディスク１８に格納させ、転送時に転送先との回線が接続されれば、パーソナルコンピュータ１５から受け取って転送先に送信すればよい。このようにすれば、ＲＡＭ３に十分な空き容量がないときでも、ファックスフォワード機能を利用できる。
【００５０】
また、特定の相手へのメッセージを記憶しておけるいわゆるファックスオンデマンドやボイスオンデマンド機能を有するファクシミリ装置の場合、使用者によりオンデマンドデータが入力されたときにＲＡＭ３に十分な空き容量がなければ、そのオンデマンドデータをパーソナルコンピュータ１５に転送してハードディスク１８に格納させ、ファクシミリ側のＲＡＭ３の空き容量に余裕ができたときに、パーソナルコンピュータ１５からオンデマンドデータを受け取ってファクシミリ側のＲＡＭ３に格納すればよい。また、ＲＡＭ３に格納するまでに他のファクシミリ装置などからオンデマンドデータに対してアクセスされれば、その時点でパーソナルコンピュータ１５からオンデマンドデータを受け取って他のファクシミリ装置などに送信すればよい。このようにすれば、ＲＡＭ３に十分な空き容量がないときでも、オンデマンドデータを入力できる。
【００５１】
また、いわゆるスリープ機能を備えていないファクシミリ装置の場合、ファクシミリ側のプリンタが所定時間以上動作していないときに、パーソナルコンピュータ１５からの指示によりヒータ１３およびファン１４をオフにしてスリープモードに入り、他のファクシミリ装置などからの呼び出し時に、パーソナルコンピュータ１５からの指示によりヒータ１３およびファン１４をオンにし、ヒータ１３が所定温度に達した後に、パーソナルコンピュータ１５から受信データを受け取って印刷するようにしてもよい。このようにすれば、ファクシミリ側でスリープ機能を備えていなくても、パーソナルコンピュータ１５によりスリープ機能を付与でき、消費電力を低減できる。
【００５２】
また、上記実施形態ではコンピュータとしてパーソナルコンピュータ１５をファクシミリ装置に接続したが、パーソナルコンピュータ１５に限らずたとえばワークステーションなどの他の各種コンピュータをファクシミリ装置に接続してもよい。
【００５３】
【発明の効果】
以上説明したように請求項１に記載した発明のファクシミリ装置によれば、ファクシミリ側でオンデマンドデータをメモリに格納できないときに、そのオンデマンドデータをコンピュータに出力してコンピュータの記憶手段に格納させ、ファクシミリ側のメモリの空き容量に余裕ができたときに、コンピュータからオンデマンドデータを受け取ってファクシミリ側のメモリに格納し、それまでに他のファクシミリ装置などからオンデマンドデータに対してアクセスされれば、コンピュータからオンデマンドデータを受け取って他のファクシミリ装置などに送信するので、メモリに十分な空き容量がないときでも、いわゆるオンデマンドデータを入力できる。
【００５４】
【００５５】
【００５６】
【００５７】
【００５８】
【００５９】
【図面の簡単な説明】
【図１】  本発明に係るファクシミリ装置の回路ブロック図である。
【図２】  本発明に係るファクシミリ装置の受信動作を説明するフローチャートである。
【符号の説明】
１  ＣＰＵ
３  ＲＡＭ
４  モデム
１０  スキャナモータ
１１  レーザスキャナ
１２  メインモータ
１３  ヒータ
１５  パーソナルコンピュータ
１６  ＣＰＵ
１７  ＲＡＭ
１８  ハードディスク
【図１】
0003651085.tif 000002
【図２】
0003651085.tif 000003